(57)【特許請求の範囲】
【請求項１】
略中央部に貫通孔を有し、且つ、一端面にホットメルト接着剤を含浸させた不織布からなるパッキン部材の該ホットメルト接着剤を有する端面を略円形状のフランジ部と該フランジ部の略中央部に突設して設けられる円筒状の係止軸部とから構成される止め具の該フランジ部上に載置する工程と、
該パッキン部材における端面を押圧し、該パッキン部材を径方向に延伸した状態で該フランジ縁部の下面を被覆することなく、該フランジ縁部の側面までを被覆して該端面を溶融固着し一体とする熱プレス工程と
を備えることを特徴とするパッキン付止め具の製造方法。
【請求項２】
フランジ部に環状のリブを具備したことを特徴とする請求項１記載のパッキン付止め具の製造方法。
【請求項３】
パッキン部材である不織布は生地と同系色若しくは生地の色に合わせた色を有することを特徴とする請求項１又は２記載のパッキン付止め具の製造方法。
【発明の詳細な説明】
【技術分野】
【０００１】
本発明は、スナップボタン、ハトメ金具等における係止体を生地へ固着する為のパッキン付止め具の製造方法、若しくは、生地へ直接固着する為のパッキン付止め具の製造方法に関するものである。
【背景技術】
【０００２】
従来より、ホック又はハトメ金具において、これらを生地に固定した状態における生地の皺寄り防止、ホック又はハトメ金具自体の回り止め等の防止の為に、生地とホック金具の間に弾性樹脂からなるパッキンを介在させることが周知である。
また、女性用ボディスーツ等の特に薄いナイロン生地に使用される際には、当該ホックは扁平であることが必要であり、特にナイロン等の生地は摩擦抵抗が小さく、当該ホックとの間で滑りやすいので、回り止めも施さなければならない。
【０００３】
これらを解決するものであって、ホック金具を構成する雌雄ホックの止め具の裏側に突設した係止軸部を、生地及び生地の裏側に配置される係止体を貫通して該係止体にカシメつけることで、止め具を生地に密着固定するホック金具において、生地と止め具との間に、表裏両面に微細な凹凸が密に形成された透明若しくは生地の色に合わせた着色透明の止め具の径よりも大径の合成樹脂製ワッシャを介在されているホック金具が公知である（例えば、特許文献１参照）。
【０００４】
これによって、カシメ付けした状態でワッシャの表裏は、その微細な凹凸が止め具裏面及び生地に対して回り止め抵抗となり、回り止めがなされる。且つ、ワッシャが止め具よりも大径とされていることから、止め具の周囲での皺寄りが解消され、ワッシャにより生地の傷つきが防止される。
また、ワッシャが透明若しくは生地に合わせた着色透明とされ、その止め具からはみ出た部分は微細な凹凸によるつや消しにより目立つことがなく、生地に合わせた色合いに形成することで、更に見栄えがよくなり違和感がない、といった効果を奏するものである。
【０００５】
しかし、特許文献１における構成においては、ボタンを構成する部品点数が係止体、止め具、ワッシャの３点となり、従来のボタン取付機においては当該３部材を一体にして使用することができず、その為、取付作業は手作業となり、効率よく取付作業を行うことができず、自動機での取付作業は不可能であった。
【０００６】
そこで、これらを解決するものであって、生地の一表面から他表面に貫通し、生地の他表面側にボタン本体を係止する止め具において、生地の一表面側に当接されるフランジ部と、フランジ部のほぼ中央部に設けられ生地の他表面側へ貫通して、ボタン本体を生地の他表面側に係止する係止軸部と、フランジ部に設けられた弾性を備えたパッキン部材とを備え、フランジ部は、係止軸部とは反対側のフランジ部の表面中央部分に設けられて、ボタン本体を係止する際に係止軸部の先端を変形させる力を受ける受圧部を有し、パッキン部材は、生地の一表面と当接するフランジ部の表面に設けられたスペーサ部と、スペーサ部から連結部を介して係止軸部とは反対側のフランジ部の表面に延設され、受圧部を除くフランジ部の外周縁の少なくとも一部を覆う保持縁部とを含んで構成される止め具が公知である（例えば、特許文献２参照）。
【特許文献１】特開２００５−２７０５７３号公報
【特許文献２】特開２００６−６８３８８号公報
【発明の開示】
【発明が解決しようとする課題】
【０００７】
特許文献２における構成においては、パッキン部材が予め止め具に係止され一体となっているから、部品点数が増えず、従来のボタン取付機を用いて、ボタンを生地に取付けることができるものである。
しかし、当該構成においては、パッキン部材は、生地の一表面と当接するフランジ部の表面に設けられたスペーサ部と、スペーサ部から連結部を介して係止軸部とは反対側のフランジ部の表面に延設され、受圧部を除くフランジ部の外周縁の少なくとも一部を覆う保持縁部とを包含する為、当該止め具が全体として分厚くなってしまう。
更に、特許文献１及び特許文献２におけるパッキン部材はプラスチック等の弾性材料で形成されていることから、薄いナイロン生地等に使用した際には、着用者は肌への接触感が悪い又はゴツゴツする等といった不快感を有する虞がある。
【０００８】
本発明はこのような問題点を解決するものであって、全体の厚みを薄くするとともに、特に、薄い生地に対しても、肌への接触感が悪い又はゴツゴツする等といった不快感を着用者が有することのないパッキン付止め具の製造方法を提供することを課題とする。
【課題を解決するための手段】
【０００９】
前記問題点を解決するために、本発明の請求項１に記載の発明のパッキン付止め具の製造方法は、略中央部に貫通孔を有し、且つ、一端面にホットメルト接着剤を含浸させた不織布からなるパッキン部材の該ホットメルト接着剤を有する端面を略円形状のフランジ部と該フランジ部の略中央部に突設して設けられる円筒状の係止軸部とから構成される止め具の該フランジ部上に載置する工程と、該パッキン部材における端面を押圧し、該パッキン部材を径方向に延伸した状態で該フランジ縁部の下面を被覆することなく、該フランジ縁部の側面までを被覆して該端面を溶融固着し一体とする熱プレス工程とを備えることを特徴とするものである。
【００１０】
また、本発明の請求項２に記載の発明のパッキン付止め具の製造方法は、請求項１に記載のパッキン付止め具の製造方法において、フランジ部に環状のリブを具備したことを特徴とするものである。
【００１１】
また、本発明の請求項３に記載の発明のパッキン付止め具の製造方法は、請求項１又は請求項２に記載のパッキン付止め具の製造方法において、パッキン部材である不織布は生地と同系色若しくは生地の色に合わせた色を有することを特徴とするものである。
【発明の効果】
【００１２】
請求項１記載のパッキン付止め具の製造方法に係る発明では、パッキン部材をフランジ部の径より大きい略円形状の不織布としているので、従来のパッキンと同様の効果である回り止め、フランジ部の周囲における生地の皺寄り防止、生地の傷つき防止、フランジ部による生地の切断防止、止め具の脱落防止等の効果を奏するパッキン付止め具を製造できることは勿論である。
また、パッキン部材におけるホットメルト接着剤を有する端面をフランジ部上に載置させ、熱プレスにより当該端面がフランジ部に溶融固着して一体とするので、部品点数を増やすことなく、従来のボタン取付機を用いて、係止体若しくは生地へ係合させることができる。
また、パッキン部材に不織布を使用していることから、製造されたパッキン付止め具を薄いナイロン生地等に使用した際には、特にプラスチック等の弾性材料で形成されているパッキンが使用されているものと比較して、軽量化を図ることもでき、更に着用者は肌への接触感が悪い又はゴツゴツする等といった不快感を有することはなくなる。
【００１３】
また、請求項１記載のパッキン付止め具の製造方法に係る発明は、熱プレスによりパッキン部材における端面が押圧され径方向に延伸し、フランジ縁部を覆設して溶融固着され一体としているので、パッキン付止め具の全体の厚みを薄くすることができるとともに、フランジ縁部が露呈した状態を防止することができる。
これによって、係止体若しくは生地へ係合させる際のプレスによる圧力により、フランジ縁部が生地に食い込んで当該部分が破断する、或いは、生地の耐久性を低下させるといったことを解消することができる。また、フランジ縁部によって、怪我をする虞もなくなる。
【００１４】
そして、請求項２記載のパッキン付止め具の製造方法に係る発明は、フランジ部に環状のリブを具備するので、熱プレスによりパッキン部材における端面が押圧され、リブと略同一形状に変形し径方向に延伸して、フランジ縁部を覆設して溶融固着され一体としているので、パッキン付止め具の全体の厚みを薄くすることができる。
【００１５】
請求項３記載のパッキン付止め具の製造方法に係る発明では、パッキン部材である不織布は生地と同系色若しくは生地の色に合わせた色を有しているので、外観上の体裁もよく意匠性を向上させることができる。
【発明を実施するための最良の形態】
【００１６】
以下、本発明の実施の形態におけるパッキン付止め具を図面に基づいて説明する。
【００１７】
図１は、本発明の実施例１に係るパッキン付止め具に使用されるパッキン部材を（ａ）形成する前の部材配置状態斜視図、（ｂ）貫通孔を有する円形状に加工した後の斜視図である。図２は、本発明の実施例１に係るパッキン付止め具に使用される円形パッキンを止め具に（ａ）固着する前の拡大垂直断面図、（ｂ）固着した後の拡大垂直断面図である。図３は、本発明の実施例１に係るパッキン付止め具を生地に配置した際の拡大垂直断面図である。
【実施例１】
【００１８】
本発明のパッキン付止め具の実施例１について、図１及び図２に基づいて説明する。
【００１９】
本願発明の実施の形態に係るパッキン付止め具６は、図２（ａ）及び（ｂ）に示すように、スナップボタンにおける雄スナップ部又は雌スナップ部となる係止体（図示しない）を生地７に固着する為の止め具５と、不織布からなるパッキン部材３を加工して形成される円形パッキン４とから構成される。
【００２０】
図１（ａ）に示すように、パッキン部材３は不織布１及びホットメルト接着剤２から構成される。具体的には、不織布１にホットメルト２を熱溶着して含浸させることでパッキン部材３は形成される。また、不織布１の色彩においては、一色に限られることなく、後に取り付けられる生地７と同系色若しくは生地７の色に合わせた色を使用することで、意匠性を向上させることができる。
その後、図１（ｂ）に示すように、パッキン部材３はプレス加工によって、略円形状に打ち抜かれて円形パッキン４を形成する。円形パッキン４には、円形の略中央部に略相似形状とする貫通孔４ａがプレス時に同時に設けられる。また、貫通孔４ａの外径は、後述する止め具５における係止軸部５ａより僅かに大きくなるよう形成される。
【００２１】
止め具５は、図２（ａ）に示すように、生地６の一端面側に位置する略円形状のフランジ部５ｂと、フランジ部５ｂの略中央部に突設して設けられる円筒状の係止軸部５ａとから構成される。このとき、フランジ部５ｂの外径を形成するフランジ縁部５ｃは、円形パッキン４における外径よりも僅かに小さくなるように形成される。また、径方向において、係止軸部５ａを有する側のフランジ部５ｂであって、係止軸部５ａとフランジ縁部５ｃの間における略中央部には、フランジ部５ｂの強度を向上させるリブとなる凸部５ｄが設けられている。当該凸部５ｄの近傍には、凸部５ｄと同時にプレス加工によって形成され、同様のリブとなる凹部５ｅを有してなる。
尚、フランジ部の強度が十分である場合には、リブとなる凸部５ｄ及び凹部５ｅを有さなくてもよい。
【００２２】
このようにして形成される円形パッキン４及び止め具５は、図２（ａ）に示すように配置され、図２（ｂ）に示すようにして固着される。
具体的には、円形パッキン４と止め具５の中心を一致させ、ホットメルト接着剤２側を凸部５ｄ側に対向させて、止め具５における係止軸部５ａを円形パッキン４における貫通孔４ａに挿通させ、凸部５ｄ上に載置する。その後、両者を熱プレスすることで、円形パッキン４に含浸されていたホットメルト接着剤２が当接しているフランジ部５ｂと接着するので、両者を一体化させることができる。このとき、熱プレスによって、円形パッキン４は押圧されるので、凸部５ｄと当接している円形パッキン４の平面は、凸部５ｄ及び凹部５ｅと同様の形状に加工されるとともに、径方向に向かって延伸される。
これによって、フランジ縁部５ｃにおける外径よりも僅かに大きくなるように形成されていた円形パッキン４は径方向に延伸され、熱プレス加工を経ることによって、フランジ縁部５ｃを覆設することができる。従って、円形パッキン４の厚みを薄くすることができ、且つ、フランジ縁部５ｃを覆設することができるのでフランジ縁部５ｃが露呈した状態を防止することができる。この際、円形パッキン４を有さない側のフランジ部５ｂの一部までを捲き込んでフランジ縁部５ｃを覆設する趣旨ではない。
【００２３】
このようにして形成されるパッキン付止め具６は、図３に示すようにして、貫通孔（図示しない）を有する生地７の一端面側に配置された後、他端面側に配置されるスナップボタンにおける雄スナップ部又は雌スナップ部となる係止体（図示しない）と係合されることで、雄スナップ部又は雌スナップ部が構成される。
【００２４】
以上、説明した本発明の実施例１に係るパッキン付止め具６によれば、パッキン付止め具６における円形パッキン４には不織布１を使用しているので、従来のパッキンと同様の効果である回り止め、フランジ部の周囲における生地の皺寄り防止、生地の傷つき防止等の効果を奏することは勿論である。
また、熱プレスによって、不織布１からなる円形パッキン４は押圧され、フランジ部５ｂと当接している円形パッキン４の平面が、凸部５ｄ及び凹部５ｅと同様の形状に加工されるとともに、径方向に向かって延伸されるので、円形パッキン４を薄くすることができる。これによって、パッキン付止め具６の全体の厚みを薄くすることができる。
このようなパッキン付止め具６を薄いナイロン生地等に使用した際には、特に不織布を使用していることから、プラスチック等の弾性材料で形成されているパッキンが使用されているものと比較して、着用者は肌への接触感が悪い又はゴツゴツする等といった不快感を有することはない。
更に、フランジ縁部５ｃにおける外径よりも僅かに大きくなるように形成されていた円形パッキン４が径方向に延伸され、熱プレス加工を経ることによって、フランジ縁部５ｃを覆設することができるので、フランジ縁部５ｃが露呈した状態を防止することができる。これによって、スナップボタンにおける雄スナップ部又は雌スナップ部となる係止体（図示しない）を係合させる際のプレスによる圧力により、フランジ縁部５ｃが生地７に食い込んで当該部分が破断する、或いは、生地の耐久性を低下させるといったことを解消することができる。また、フランジ縁部５ｃによって、怪我をする虞もなくなる。
また、円形パッキン４は、生地７と同系色若しくは生地７の色に合わせた色を使用しているので、外観上の体裁もよく意匠性を向上させることができる。
更に、ホットメルト接着剤１により円形パッキン４を予め止め具５に固着して一体として、パッキン付止め具６を形成していることから、部品点数を増やすことなく、従来のボタン取付機を用いて、スナップボタンにおける雄スナップ部又は雌スナップ部となる係止体（図示しない）へ係合して生地７に取付けることができる。
尚、これらの効果は、厚手の生地等に使用した際にも、同様の効果を奏することは勿論である。
【００２５】
本発明におけるパッキン付止め具６は、スナップボタンに限られることなく、生地７の一端面上に載置されるリング状からなる係止体に止め具を係止させてなるハトメ金具、若しくは、係止体を有することなく直接生地７へ係止させるリベット金具にも適用することができるのは勿論である。
【図面の簡単な説明】
【００２６】
【図１】本発明の実施例１に係るパッキン付止め具に使用されるパッキン部材を（ａ）形成する前の部材配置状態斜視図、（ｂ）貫通孔を有する円形状に加工した後の斜視図である。
【図２】本発明の実施例１に係るパッキン付止め具に使用される円形パッキンを止め具に（ａ）固着する前の拡大垂直断面図、（ｂ）固着した後の拡大垂直断面図である。
【図３】本発明の実施例１に係るパッキン付止め具を生地に配置した際の拡大垂直断面図である。
【符号の説明】
【００２７】
１    不織布
２    ホットメルト接着剤
３    パッキン部材
４    円形パッキン
４ａ  貫通孔
５    止め具
５ａ  係止軸部
５ｂ  フランジ部
５ｃ  フランジ縁部
５ｄ  凸部
５ｅ  凹部
６    パッキン付止め具
７    生地
【図１】
0004974240.tif 000002
【図２】
0004974240.tif 000003
【図３】
0004974240.tif 000004